(57)【要約】      （修正有）【課題】紙ワイパーを取出す際の紙粉の発生を抑え、取出し性及び視認性の良好な箱型カートンを提供する。【解決手段】ミシン目により外周が形成される取出口１０と、取出口１０の外側の裏面に貼付され、取出し用のスリット２１を有する窓貼用フィルム２０と、を頂面部に有し、紙ワイパーの積層体を収納し紙ワイパーをポップアップ式に取出し可能な、箱型カートンであって、取出口１０の横方向の最大寸法は、箱型カートンの横方向の寸法に対して、５０％以上８０％以下であり、取出口１０の縦方向の最大寸法は、箱型カートンの縦方向の寸法に対して、３０％以上８０％以下であり、窓貼用フィルム２０の厚みは、２０μｍ以上６０μｍ以下であり、窓貼用フィルム２０のスリット２１の長さは、取出口の横方向の最大寸法に対して、６０％以上８０％以下である、箱型カートンを提供する。【選択図】図１
2018203263.tif 000002
【特許請求の範囲】
【請求項１】
ミシン目により外周が形成される取出口と、前記取出口の外側の裏面に貼付され、取出し用のスリットを有する窓貼用フィルムと、を頂面部に有し、紙ワイパーの積層体を収納し前記紙ワイパーをポップアップ式に取出し可能な、箱型カートンであって、
前記箱型カートンの高さは、８０ｍｍ以上１５０ｍｍ以下であり、前記箱型カートンの横方向の寸法は、８０ｍｍ以上１５０ｍｍ以下であり、前記箱型カートンの縦方向の寸法は、８０ｍｍ以上１５０ｍｍ以下であり、
前記取出口の横方向の最大寸法は、前記箱型カートンの横方向の寸法に対して、５０％以上８０％以下であり、
前記取出口の縦方向の最大寸法は、前記箱型カートンの縦方向の寸法に対して、３０％以上８０％以下であり、
前記窓貼用フィルムの厚みは、２０μｍ以上６０μｍ以下であり、
前記窓貼用フィルムの前記スリットの長さは、前記取出口の横方向の最大寸法に対して、６０％以上８０％以下である、箱型カートン。
【請求項２】
前記取出口の形状が菱形であり、
前記取出口のいずれかの対角線が、前記スリットに平行であり、
前記取出口の横方向中心部における、前記取出口の縦方向の寸法が、２４ｍｍ以上１２０ｍｍ以下である、請求項１に記載の箱型カートン。
【請求項３】
前記取出口の形状が、六角形であり、
前記取出口の対向する各二辺が互いに平行であり、
前記取出口の対向するいずれかの二辺が、前記スリットに平行又は垂直であり、
前記取出口の横方向中心部における、前記取出口の縦方向の寸法が、２４ｍｍ以上１２０ｍｍ以下である、請求項１に記載の箱型カートン。
【請求項４】
前記窓貼用フィルムの引張弾性率が、０．１ＭＰａ以上１．２ＭＰａ以下である、請求項１から３のいずれかに記載の箱型カートン。
【請求項５】
前記窓貼用フィルムにエンボス加工が施されている、請求項１から４のいずれかに記載の箱型カートン。
【発明の詳細な説明】
【技術分野】
【０００１】
本発明は、紙ワイパーを取出す際の紙粉の発生を抑え、取出し性及び視認性の良好な箱型カートンに関する。
【背景技術】
【０００２】
フェイシャルティシュ、ペーパータオル、紙ワイパー、テーブルナプキン等の紙製品は、Ｖ字折り、Ｃ字折り、Ｚ字折り等に折り畳まれて、紙製の箱型カートンに積層されて収容されており、箱型カートンの取出口から引き出されて使用される。これらの紙製品の中でも、フェイシャルティシュは、取出し用のスリットを有する窓貼用フィルムを備えた箱型カートンに収容された、いわゆるポップアップ式の製品が広く知られている。
【０００３】
窓貼用フィルムを備えた箱型カートンとして、例えば特許文献１には、複数枚のフェイシャルティシュを２枚１組として所謂ポップアップ方式で折り畳んで略直方体の箱に収納したフェイシャルティシュ製品に使用される箱型カートンであって、収納されるフェイシャルティシュの枚数に対する箱型カートンの内側高さ寸法の比が４０／４００〜６０／４００ｍｍ／枚であるフェイシャルティシュ製品に使用され、該箱型カートンの上面に形成される取出口は、該箱型カートンの長辺に沿って配置され、該取出口の長手方向における最大長さを上面の長辺長さに対する比で表した場合、７２％以上９６％以下であることを特徴とするフェイシャルティシュ用の箱型カートンが開示されている。特許文献２には、箱の上面に形成された窓にスリットを有する窓貼用フィルムが内側から覆っており、内部に多数枚の折り重ねられたフェイシャルティシュを順次スリットを通して取出すようにした箱型カートンであって、スリットの有効長さが、衛生薄葉用紙の横方向の長さの７２％以上９０％以下とされたことを特徴とする衛生薄葉用紙の箱型カートンが開示されている。
【先行技術文献】
【特許文献】
【０００４】
【特許文献１】特開２００２−３０８３５２号公報
【特許文献２】特開２００２−２４９１８３号公報
【発明の概要】
【発明が解決しようとする課題】
【０００５】
ところで、フェイシャルティシュだけではなく、清掃作業や商品の梱包等、幅広い用途で使用される紙ワイパーにおいても、取出し用のスリットを有する窓貼用フィルムを備えた箱型カートンに収容され、ポップアップ式に取出す方法が採用される場合も少なくない。ここで、紙ワイパーは、フェイシャルティシュとは、坪量、厚み等も異なる紙製品であるため、紙ワイパーを、特許文献１及び特許文献２に記載されるような、フェイシャルティシュ用の箱型カートンに収容すると、紙ワイパーを取出す際に、紙ワイパーの紙粉が発生し、また、取出し性や視認性が低下することがあり、紙ワイパー用の箱型カートンとしては、十分ではなかった。したがって、本発明は以上の課題に鑑みてなされたものであり、紙ワイパーを取出す際の紙粉の発生を抑え、取出し性及び視認性の良好な箱型カートンを提供することを目的とする。
【課題を解決するための手段】
【０００６】
本発明の発明者らは、上記課題に鑑み、鋭意研究を行った。その結果、取出口の寸法、窓貼用フィルムの厚み及びスリットの寸法を調整した箱型カートンによれば、上記課題を解決できることを見出し、本発明を完成するに至った。具体的には、本発明は以下のものを提供する。
【０００７】
（１）本発明の第１の態様は、ミシン目により外周が形成される取出口と、前記取出口の外側の裏面に貼付され、取出し用のスリットを有する窓貼用フィルムと、を頂面部に有し、紙ワイパーの積層体を収納し前記紙ワイパーをポップアップ式に取出し可能な、箱型カートンであって、前記箱型カートンの高さは、８０ｍｍ以上１５０ｍｍ以下であり、前記箱型カートンの横方向の寸法は、８０ｍｍ以上１５０ｍｍ以下であり、前記箱型カートンの縦方向の寸法は、８０ｍｍ以上１５０ｍｍ以下であり、前記取出口の横方向の最大寸法は、前記箱型カートンの横方向の寸法に対して、５０％以上８０％以下であり、前記取出口の縦方向の最大寸法は、前記箱型カートンの縦方向の寸法に対して、３０％以上８０％以下であり、前記窓貼用フィルムの厚みは、２０μｍ以上６０μｍ以下であり、前記窓貼用フィルムの前記スリットの長さは、前記取出口の横方向の最大寸法に対して、６０％以上８０％以下である、箱型カートンである。
【０００８】
（２）本発明の第２の態様は、（１）に記載の箱型カートンであって、前記取出口の形状が菱形であり、前記取出口のいずれかの対角線が、前記スリットに平行であり、前記取出口の横方向中心部における、前記取出口の縦方向の寸法が、２４ｍｍ以上１２０ｍｍ以下であることを特徴とするものである。
【０００９】
（３）本発明の第３の態様は、（１）に記載の箱型カートンであって、前記取出口の形状が、六角形であり、前記取出口の対向する各二辺が互いに平行であり、前記取出口の対向するいずれかの二辺が、前記スリットに平行又は垂直であり、前記取出口の横方向中心部における、前記取出口の縦方向の寸法が、２４ｍｍ以上１２０ｍｍ以下であることを特徴とするものである。
【００１０】
（４）本発明の第４の態様は、（１）から（３）のいずれかに記載の箱型カートンであって、前記窓貼用フィルムの引張弾性率が、０．１ＭＰａ以上１．２ＭＰａ以下であることを特徴とするものである。
【００１１】
（５）本発明の第５の態様は、（１）から（４）のいずれかに記載の箱型カートンであって、前記窓貼用フィルムにエンボス加工が施されていることを特徴とするものである。
【発明の効果】
【００１２】
本発明の箱型カートンにおいて、取出口の横方向の最大寸法は、箱型カートンの横方向の寸法に対して、５０％以上８０％以下であり、取出口の縦方向の最大寸法は、箱型カートンの縦方向の寸法に対して、３０％以上８０％以下であり、窓貼用フィルムの厚みは、２０μｍ以上６０μｍ以下であり、窓貼用フィルムのスリットの寸法は、取出口の横方向の最大寸法に対して、６０％以上８０％以下である。このように、取出口の寸法、窓貼用フィルムの厚み及びスリットの長さを調整しているため、本発明によれば、紙ワイパーを取出す際の紙粉の発生を抑え、取出し性及び視認性の良好な箱型カートンを提供することができる。
【図面の簡単な説明】
【００１３】
【図１】ミシン目に沿って切取片を切り離した後の本発明の箱型カートンの頂面部を示す図面である。
【図２】ミシン目に沿って切取片を切り離す前の本発明の箱型カートンの斜視図である。
【図３】ミシン目に沿って切取片を切り離した後の本発明の箱型カートンの斜視図である。
【図４】ミシン目に沿って切取片を切り離した後の本発明の箱型カートンの頂面部を示す図面であって、取出口の別の態様を表した図面である。
【図５】ミシン目に沿って切取片を切り離した後の本発明の箱型カートンの頂面部を示す図面であって、取出口の別の態様を表した図面である。
【図６】ミシン目に沿って切取片を切り離した後の本発明の箱型カートンの頂面部を示す図面であって、取出口の別の態様を表した図面である。
【図７】ミシン目に沿って切取片を切り離した後の本発明の箱型カートンの頂面部を示す図面であって、取出口の別の態様を表した図面である。
【発明を実施するための形態】
【００１４】
以下、添付図面を参照して、本発明を実施するための形態について、詳細に説明する。なお、本発明の実施形態の説明の全体を通して、同じ要素には同じ符号を付している。
【００１５】
＜箱型カートン＞
図２から図７に示すように、箱型カートン１は、シート状の紙ワイパーの積層体を収納する直方体又は立方体の函体である。また、箱型カートン１は、図１及び図３から図７に示すように、ミシン目により外周が形成される取出口１０と、取出口１０の外側の裏面に貼付され、取出し用のスリット２１を有する窓貼用フィルム２０と、を頂面部に有する。箱型カートン１に収納された紙ワイパーを使用する際には、図３に示すように、ミシン目で囲まれた部分から形成される切取片１１を切り離した後に、箱型カートン１に収納された紙ワイパーを取出すのであるが、その際に、紙ワイパーは窓貼用フィルム２０のスリット２１を通過する。なお、本発明の箱型カートン１は、窓貼用フィルム２０を除いて、紙製であり、基材として、針葉樹晒クラフトパルプ（ＮＢＫＰ）や広葉樹晒クラフトパルプ（ＬＢＫＰ）等の木材パルプや新聞紙や雑誌等の古紙パルプを使用できる。
【００１６】
本発明の箱型カートン１に収納される紙ワイパーは、ポップアップ式に取出し可能であるから、個々の紙ワイパーは、Ｚ折りやＶ折り等されて上下の紙ワイパーを挟持しつつ積層されており、スリット２１は、箱型カートン１に積層されている紙ワイパーの折り畳まれていない辺に平行な方向に配置される。また、本発明の箱型カートン１に収納される紙ワイパーは、清掃作業や商品の梱包等、幅広い用途で使用されるものである。
【００１７】
本明細書の説明において、箱型カートン１の横方向とは、スリット２１に対して平行な方向であり、図中、符号Ｘで示す方向である。また、箱型カートン１の縦方向とは、横方向に対して平面視で直交する方向であり、図中、符号Ｙで示す方向である。さらに、箱型カートン１の高さＨは、内部に収納される紙ワイパーの積層方向に沿う寸法である。
【００１８】
本発明おいて、箱型カートン１の大きさについては、一般的な紙ワイパーを収納するのに適した大きさであればよく、具体的には、箱型カートン１の高さＨは、８０ｍｍ以上１５０ｍｍ以下であり、箱型カートン１の横方向の寸法は、８０ｍｍ以上１５０ｍｍ以下であり、箱型カートン１の縦方向の寸法は、８０ｍｍ以上１５０ｍｍ以下である。
【００１９】
［取出口］
箱型カートン１は、ミシン目により外周が形成される取出口１０を箱型カートン１の頂面部に有する。取出口１０は、箱型カートン１の頂面部の略中央に位置する。箱型カートン１に収納された紙ワイパーを使用する際には、図３に示すように、ミシン目で囲まれた部分から形成される切取片１１を切り離して使用する。
【００２０】
取出口１０の横方向の最大寸法は、箱型カートン１の横方向の寸法に対して、５０％以上８０％以下であり、取出口１０の縦方向の最大寸法は、箱型カートン１の縦方向の寸法に対して、３０％以上８０％以下である。このため、窓貼用フィルム２０を介して箱型カートン１に収納された紙ワイパーを確認しやすくなり、本発明の箱型カートン１は、視認性に優れる。なお、さらに、視認性を向上させる観点から、取出口１０の縦方向の最大寸法は、箱型カートン１の縦方向の寸法に対して、４０％以上８０％以下であることが好ましい。また、取出口１０の縦方向の最大寸法を上記の範囲にすることにより、紙ワイパーを取出す際の窓貼用フィルム２０の変形量が大きくなり、取出しがスムーズになり、取出し性が向上し、さらに、紙ワイパーを取出した際に、箱型カートン１の中に落ちてしまう、いわゆるドロップバックを発生しづらくすることができる。
【００２１】
取出口１０の形状としては、例えば、図１に示すような菱形、図４に示すような略長方形、図５に示すような略楕円形、図６及び図７に示すような六角形が挙げられる。ここで、紙ワイパーを箱型カートン１から取出す際に、紙ワイパーに加わる摩擦抵抗は、スリット２１の横方向中心部に集中するため、取出口１０の形状は、取出口１０のいずれかの対角線が、スリット２１に平行であり、取出口１０の横方向中心部における、取出口１０の縦方向の寸法が、２４ｍｍ以上１２０ｍｍ以下である菱形、又は、取出口１０の対向する各二辺が互いに平行であり、取出口１０の対向するいずれかの二辺が、スリット２１に平行又は垂直であり、取出口１０の横方向中心部における、取出口１０の縦方向の寸法が、２４ｍｍ以上１２０ｍｍ以下である六角形、のいずれかの形状であることが好ましい。取出口１０の形状を、上記のような菱形又は六角形にすることにより、紙ワイパーを箱型カートン１から取出す際に、紙ワイパーに最も摩擦抵抗が加わりやすいスリット２１の横方向中心部における窓貼用フィルム２０が変形しやすくなることで、取出す際の紙ワイパーに加わる摩擦抵抗を低減させ、紙粉の発生を抑制することができるとともに、紙ワイパーの取出し性もより向上する。
【００２２】
［窓貼用フィルム］
本発明の箱型カートン１は、図１及び図３から図７に示すように、取出口１０の外側の裏面に貼付された窓貼用フィルム２０を箱型カートン１の頂面部に有する。窓貼用フィルム２０の材質は、一般的な窓貼用フィルム２０に使用されるポリエチレン等のプラスチックであればよい。窓貼用フィルム２０は、取出し用のスリット２１を有する。
【００２３】
本発明の箱型カートン１において、窓貼用フィルム２０の厚みは、２０μｍ以上６０μｍ以下である。窓貼用フィルム２０の厚みを上記の範囲にすることにより、紙ワイパーと窓貼用フィルム２０との摩擦抵抗を低減させ、紙粉の発生を抑えることができ、窓貼用フィルム２０に適度な剛性を持たせることで、ドロップバックを発生しづらくすることができる。
【００２４】
また、箱型カートン１において、窓貼用フィルム２０のスリット２１の長さは、取出口１０の横方向の最大寸法に対して、６０％以上８０％以下である。スリット２１の長さを上記の範囲に調整することにより、取出す際の紙ワイパー同士の摩擦抵抗を低減し、紙粉の発生を抑えることができる。
【００２５】
また、より効果的に取出す際の摩擦抵抗を低減させるために、窓貼用フィルム２０の引張弾性率は、０．１ＭＰａ以上１．２ＭＰａ以下であることが好ましい。引張弾性率とは、窓貼用フィルム２０が受けた引張応力を窓貼用フィルム２０に生じたひずみで除した値であり、この値が小さいほど一定荷重に対する変形が大きいことを表す。なお本発明における引張弾性率の測定は、フィルム幅１５ｍｍ、引張速度５００ｍｍ／ｍｉｎにて行った。
【００２６】
さらに、窓貼用フィルム２０の柔軟性を向上させることで、紙粉の発生を抑え、取出し性を向上させるために、窓貼用フィルム２０にエンボス加工が施されていることが好ましい。
【００２７】
以上、本発明を、実施形態に基づいて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【実施例】
【００２８】
以下、本発明について、実施例を挙げて詳細に説明する。なお、本発明は以下に示す実施例に何ら限定されるものではない。
【００２９】
＜実施例１から３、比較例１＞
以下の仕様を満たす箱型カートン及び紙ワイパーを用意し、紙粉の発生、紙ワイパーのドロップバック頻度、取出し性、視認性について評価した。
（１）箱型カートンについて
箱型カートンについては、コートボール紙を用い、窓貼用フィルムについては、材質はポリエチレンで、厚みは４５μｍの窓貼用フィルムを用いた。各実施例及び比較例の箱型カートンの寸法、取出口の寸法、窓貼用フィルムのスリットの長さを表１に記載した。
（２）紙ワイパーについて
・枚数：２００枚
・積層状態：Ｚ折り
・縦方向に折り畳まれる前の寸法：縦２１５ｍｍ、横１２０ｍｍ
・材料：針葉樹晒クラフトパルプ（ＮＢＫＰ）１００％、
・材質：坪量２０ｇ／ｍ２、縦引張強度５Ｎ／２５ｍｍ、横引張強度２Ｎ／２５ｍｍ
【００３０】
以下、各評価項目の試験方法及び評価の基準について、説明する。
（紙粉の発生）
室温２３℃、湿度５０％ＲＨの条件下でスリットの外側表面の上部に黒紙を配置し、紙ワイパー２００枚を取出した後に、黒紙上の紙粉をカウントし、以下の基準により評価を行った。
○：紙粉がないか、１個以上９個以下のとき
△：紙粉が１０個以上２９個以下
×：紙粉が３０個以上のとき
【００３１】
（ドロップバック頻度）
各収納箱から２００枚の紙ワイパーを引き出したときの紙ワイパーのドロップバックの回数を計測し、以下の基準により評価を行った。
○：ドロップバックが起こらないか、１回又は２回のとき
△：ドロップバックが３回又は４回のとき
×：ドロップバックが５回以上のとき
【００３２】
（取出し性）
モニター５名により取出し作業時の取出し性の評価を行った。
◎：「取出し性がよい」と回答した者が５人のとき
〇：「取出し性がよい」と回答した者が４人のとき
△：「取出し性がよい」と回答した者が１人以上３人以下のとき
×：「取出し性がよい」と回答した者がいないとき
【００３３】
（視認性）
モニター５名により、箱型カートンの中を頂面部から見たときの視認性の評価を行った。
◎：「視認性がよい」と回答した者が５人のとき
〇：「視認性がよい」と回答した者が４人のとき
△：「視認性がよい」と回答した者が１人以上３人以下のとき
×：「視認性がよい」と回答した者がいないとき
【００３４】
【表１】
2018203263.tif 000003
【符号の説明】
【００３５】
１        箱型カートン
１０      取出口
１１      切取片
２０      窓貼用フィルム
２１      スリット
【図１】
2018203263.tif 000004
【図２】
2018203263.tif 000005
【図３】
2018203263.tif 000006
【図４】
2018203263.tif 000007
【図５】
2018203263.tif 000008
【図６】
2018203263.tif 000009
【図７】
2018203263.tif 000010